(57)【要約】    【課題】夜間帯において被写体の映像を視認性の高い映像で確保するために点灯される照明ランプを間欠点灯させることにより、照明ランプに供給する電力を低減して省電力化を図る。    【解決手段】ドアホン子機１のカメラ１１にて被写体の映像を撮像するにあたり、撮像された映像のコンポジット映像信号の奇数フィールドおよび偶数フィールドのうち何れか一方に同期させて照明ランプ１２を間欠点灯させる。    【選択図】  図１
2005102088.tif 000002
【特許請求の範囲】
【請求項１】
ドアホン子機（１）のカメラ（１１）にて撮像した被写体の映像を室内親機（２）のモニタ（２３）に出画させ、前記ドアホン子機および前記室内親機の間で通話を行うテレビドアホン装置であって、
前記被写体を夜間帯に撮像するための照明ランプ（１２）を前記映像のコンポジット映像信号（Ｓ10）の奇数フィールドおよび偶数フィールドのうち何れか一方に同期させて間欠点灯させることにより、前記照明ランプに供給される電力を低減し、夜間帯においても視認性の高い映像を確保することができることを特徴とするテレビドアホン装置。
【発明の詳細な説明】
【技術分野】
【０００１】
本発明はテレビドアホン装置に係り、特に、夜間帯において明度が確保された視認性の高い被写体の映像を撮像することができるテレビドアホン装置に関する。
【背景技術】
【０００２】
従来から、この種のテレビドアホン装置として、玄関に設置されたドアホン子機１０１のカメラ（図示せず）にて夜間帯に呼出操作を行った来訪者の映像を撮像するにあたり、被写体の明度を確保するために点灯される照明ランプ１１０を備えた夜間帯点灯制御回路１０１ａが提案されており、この夜間帯点灯制御回路１０１ａは、図４の回路図に示される。
【０００３】
図４の回路図に示す（ドアホン子機１０１に備えられた）夜間帯点灯制御回路１０１ａにおいて、ＣｄＳ素子（硫化カドミウム光導電素子）等の照度センサ１１１は、玄関および当該玄関の周囲近傍の照度を検出しており、検出された照度の変化を所定の電圧レベルに変換した照度／電圧変換信号Ｓ101を生成する。この照度／電圧変換信号Ｓ101の電圧レベルは、抵抗１１２を介して分圧された電圧レベルＶ101としてコンパレータ１１３の（＋）端子に印加される。また、コンパレータ１１３は、（＋）端子に印加された照度／電圧変換信号Ｓ101の電圧レベルＶ101と（−）端子に印加された閾値電位点１１４の電圧レベルＶ102とを比較し、電圧レベルＶ101が電圧レベルＶ102よりも小さい場合、例えば、来訪者による呼び出しが夜間帯であり玄関および当該玄関の周囲近傍の照度が低く照度センサ１１１の抵抗値が大きくなった場合には、照明ランプ１１０を点灯させることにより、カメラ（図示せず）にて撮像される被写体の映像は、明度が確保された視認性の高い映像となる（例えば、非特許文献１を参照）。
【０００４】
【非特許文献１】アイホン  総合カタログ２００３／２００４年版（６頁）
【発明の開示】
【発明が解決しようとする課題】
【０００５】
しかしながら、従来例のテレビドアホン装置において、図４の回路図に示す（ドアホン子機１０１に備えられた）夜間帯点灯制御回路１０１ａは、夜間帯にカメラ（図示せず）にて被写体の映像を撮像するにあたり照明ランプ１１０を常に点灯させるように制御することから、直流電源Ｖ100から抵抗１１５を介して照明ランプ１１０（を構成する発光ダイオードのアノード）に供給される電力が大きくなる難点があった。
【０００６】
本発明は、上述の難点を解消するためになされたもので、夜間帯において被写体の映像を視認性の高い映像で確保するために点灯される照明ランプを間欠点灯させることにより、照明ランプに供給する電力を低減して省電力化を図るテレビドアホン装置を提供することを目的としている。
【課題を解決するための手段】
【０００７】
上述の目的を達成するため、本発明のテレビドアホン装置は、ドアホン子機のカメラにて撮像した被写体の映像を室内親機のモニタに出画させ、ドアホン子機および室内親機の間で通話を行う当該装置である。被写体を夜間帯に撮像するための照明ランプを映像のコンポジット映像信号の奇数フィールドおよび偶数フィールドのうち何れか一方に同期させて間欠点灯させることにより、照明ランプに供給される電力を低減し、夜間帯においても視認性の高い映像を確保する。
【発明の効果】
【０００８】
本発明のテレビドアホン装置によれば、ドアホン子機のカメラにて撮像された映像のコンポジット映像信号の奇数フィールドおよび偶数フィールドのうち何れか一方に同期させて照明ランプを間欠点灯させることにより、照明ランプに供給される電力が低減するばかりでなく、夜間帯においてカメラにて撮像された被写体の映像を視認性の高い映像で確保することができる。
【発明を実施するための最良の形態】
【０００９】
以下、本発明のテレビドアホン装置を適用した最良の実施の形態例について、図面を参照して説明する。
【００１０】
図１は、本発明の実施例によるテレビドアホン装置を示すシステム構成図である。
【００１１】
図１のシステム構成図に示すテレビドアホン装置は、玄関に設置され、来訪者が住戸内に在室中の居住者を呼び出すために操作する呼出ボタン１０、被写体の映像、例えば、呼出操作を行った来訪者の映像を撮像するためのカメラ１１、被写体の映像を撮像するカメラ１１の撮像時として、夜間帯において被写体の明るさを確保するために間欠点灯される白色ＬＥＤ（Light Emitting Diode）等の照明ランプ１２、玄関および当該玄関の周囲近傍の照度を検出し、検出された照度の変化を所定の電圧レベルに変換するためのＣｄＳ素子（硫化カドミウム光導電素子）等の照度センサ１３、来訪者が居住者との間で通話を行うための音声を送受信するマイク（以下、子機マイクという。）１４およびスピーカ（以下、子機スピーカという。）１５を有するドアホン子機１と、住戸内に設置され、伝送線路Ｌ1を介して接続されたドアホン子機１からの呼び出し、すなわち、来訪者による呼び出しがあることを示す呼出音を放音させるとともに居住者が来訪者との間で通話を行うための音声を受信するスピーカ（以下、親機スピーカという。）２０、居住者が来訪者との間で通話を行うための音声を送信するマイク（以下、親機マイクという。）２１、居住者が来訪者からの呼び出しに応答するために操作する通話ボタン２２、ドアホン子機１のカメラ１１にて撮像された映像を出画するためのＬＣＤ（Liquid Crystal Display）、有機ＥＬ（Electro Luminescence）等のモニタ２３を有する室内親機２とから構成されている。
【００１２】
図２は、ドアホン子機１に備えられ、夜間帯において照明ランプ１２を間欠点灯させるための夜間帯点灯制御回路１ａの具体的な構成を示す回路図である。
【００１３】
図２の回路図に示す（ドアホン子機１に備えられた）夜間帯点灯制御回路１ａには、抵抗（バイアス抵抗）５０、５１、５２、５３と、閾値電位点５４と、アノードが抵抗５０を介して直流電源Ｖ0に、カソードが抵抗５１の一端および後述するトランジスタ５５のエミッタにそれぞれ接続された発光ダイオードにて構成される上述の照明ランプ１２と、一端が直流電源Ｖ0に、他端が抵抗５２を介して基準電位点および後述するコンパレータ５６の（＋）端子にそれぞれ接続された上述の照度センサ１３と、ベースが抵抗５３を介して後述するＡＮＤ回路５８の出力端子に、コレクタがコンパレータ５６の出力端子にそれぞれ接続され、ベース−エミッタ間には抵抗５１が接続されており、ＡＮＤ回路５８の出力端子から抵抗５３を介してベースに印加される出力信号のＬ（Low）／Ｈ（High）のタイミングで照明ランプ１２を点灯／消灯させるためにＯＮ／ＯＦＦされるトランジスタ（ＰＮＰ形トランジスタ）５５と、（＋）端子に印加される照度センサ１３からの電圧信号の電圧レベルについて抵抗５２を介して分圧させた電圧レベル（後述）と（−）端子に印加される閾値電位点５４の電圧レベル（以下、電圧レベルＶ52という。）とを比較するためのコンパレータ５６と、図１のシステム構成図に示すカメラ１１にて撮像された映像のコンポジット映像信号に含まれている垂直同期信号の周期を分周させる、ここでは、１／２の周期に分周させるための分周器５７と、入力端子の一方に印加される分周器５７からの出力信号と入力端子の他方に印加される上述の垂直同期信号とのＡＮＤ演算を行うためのＡＮＤ回路５８とが備えられている。
【００１４】
このように構成された本発明の実施例によるテレビドアホン装置において、以下、具体的な動作について、図１のシステム構成図、図２の回路図および図３の波形図をそれぞれ参照して説明する。
【００１５】
なお、図３の波形図とは、図２の回路図に示す（ドアホン子機１に備えられた）夜間帯点灯制御回路１ａにて処理される各種信号のタイミングチャートを示す波形図である。
【００１６】
図１のシステム構成図において、玄関に居る来訪者が住戸内に在室中の居住者を呼び出すために、ドアホン子機１の呼出ボタン１０を操作すると、カメラ１１が駆動して被写体である来訪者の映像の撮像が開始されるとともに、照度センサ１３にて玄関および当該玄関の周囲近傍の照度の検出が開始される。
【００１７】
図２の回路図に示す（ドアホン子機１に備えられた）夜間帯点灯制御回路１ａにおいて、照度センサ１３は、検出された照度の変化を所定の電圧レベルに変換した照度／電圧変換信号Ｓ1を生成する。この照度／電圧変換信号Ｓ1の電圧レベルは、抵抗５２を介して分圧された電圧レベルＶ1としてコンパレータ５６の（＋）端子に印加される。
【００１８】
また、図２の回路図に示す（ドアホン子機１に備えられた）夜間帯点灯制御回路１ａにおいて、コンパレータ５６は、（＋）端子に印加された照度／電圧変換信号Ｓ1の電圧レベルＶ1と（−）端子に印加された閾値電位点５４の電圧レベルＶ2とを比較し、電圧レベルＶ1が電圧レベルＶ2よりも小さい場合、例えば、来訪者による呼び出しが夜間帯であり玄関および当該玄関の周囲近傍の照度が低く照度センサ１３の抵抗値が大きい場合には、トランジスタ５５をＯＮ状態に制御させるためにＬレベルに固定された制御信号Ｓ2aを出力端子から当該トランジスタのコレクタに印加する。一方、上述の電圧レベルＶ1が電圧レベルＶ2よりも大きい場合、例えば、来訪者による呼び出しが昼間帯であり玄関および当該玄関の周囲近傍の照度が高く照度センサ１３の抵抗値が小さい場合には、トランジスタ５５をＯＦＦ状態に制御させるためにＨレベルに固定された制御信号Ｓ2bを出力端子から当該トランジスタのコレクタに印加する。
【００１９】
また、図２の回路図に示す（ドアホン子機１に備えられた）夜間帯点灯制御回路１ａにおいて、ＡＮＤ回路５８の入力端子の一方には、上述の呼出操作が行われた時点より図１のシステム構成図に示すカメラ１１にて撮像が開始された被写体の映像であり信号処理された図３の波形図に示すコンポジット映像信号Ｓ10に含まれている垂直同期信号Ｓ10aが印加され、当該ＡＮＤ回路の入力端子の他方には、垂直同期信号Ｓ11の周期を１／２分周させた同波形図に示す分周器出力信号Ｓ11bが印加される。ＡＮＤ回路５８は、それぞれの入力端子に印加された垂直同期信号Ｓ10aおよび分周器出力信号Ｓ11のＡＮＤ演算を行い、演算後の出力信号として同波形図に示すＡＮＤ回路出力信号Ｓ12を出力端子から抵抗５３を介してトランジスタ５５のベースに印加する。
【００２０】
さらに、図２の回路図に示す（ドアホン子機１に備えられた）夜間帯点灯制御回路１ａにおいて、トランジスタ５５は、コンパレータ５６の出力端子からのＬレベルに固定された制御信号Ｓ2aがコレクタに印加されている状態、例えば、来訪者による呼び出しが夜間帯であり玄関および当該玄関の周囲近傍の照度が低い状態で、ＡＮＤ回路５８の出力端子から抵抗５３を介してベースに印加される図３の波形図に示すＡＮＤ回路出力信号Ｓ12のＬ／ＨのタイミングでＯＮ／ＯＦＦが繰り返される。すなわち、同波形図に示すコンポジット映像信号Ｓ10の奇数フィールドおよび偶数フィールドのうち何れか一方に同期、ここでは、偶数フィールドに同期させたタイミングでＯＮ／ＯＦＦが繰り返され、このタイミングで同図および図１のシステム構成図に示す照明ランプ１２を間欠点灯させることにより、夜間帯においてカメラ１１にて撮像される被写体の映像は、明度が確保された視認性の高い映像となるばかりでなく、直流電源Ｖ0から抵抗５０を介して照明ランプ１２（を構成する発光ダイオードのアノード）に供給される電力を低減して省電力化を図ることができる。
【００２１】
なお、上述の説明では、図１のシステム構成図および図２の回路図に示すドアホン子機１の照明ランプ１２を間欠点灯させるにあたり、同回路図に示す夜間帯点灯制御回路１ａのＡＮＤ回路５８の出力端子から抵抗５３を介してトランジスタ５５のベースに印加される図３の波形図に示すＡＮＤ回路出力信号Ｓ12のＬ／Ｈのタイミングとして、同波形図に示すコンポジット映像信号Ｓ10の偶数フィールドに同期させたが、この同期のタイミングは、偶数フィールドのみならず奇数フィールドに同期させることもできる。
【００２２】
一方、図２の回路図に示す（ドアホン子機１に備えられた）夜間帯点灯制御回路１ａにおいて、コンパレータ５６の出力端子からのＨレベルに固定された制御信号Ｓ2bがトランジスタ５５のコレクタに印加されている状態、例えば、来訪者による呼び出しが昼間帯であり玄関および当該玄関の周囲近傍の照度が高い状態の場合には、図３の波形図に示すコンポジット映像信号Ｓ10の奇数フィールドおよび偶数フィールドのうち何れか一方に同期させたタイミングに関係なく同回路図および図１のシステム構成図に示す照明ランプ１２は消灯のまま保持される。
【００２３】
次に、上述のように、図１のシステム構成図および図２の回路図に示すドアホン子機１の照明ランプ１２が間欠点灯されたとき、カメラ１１にて撮像された被写体の映像であり信号処理された図３の波形図に示すコンポジット映像信号Ｓ10は、来訪者により呼び出しがある旨の呼出信号Ｓ20に重畳され、伝送線路Ｌ1を介して室内親機２へと伝送される。
【００２４】
図１のシステム構成図において、室内親機２は、ドアホン子機１からの呼出信号Ｓ20に基づいて玄関に居る来訪者からの呼び出しがある旨の呼出音を親機スピーカ２０にて放音させるとともに、呼出信号Ｓ20に重畳されている図３の波形図に示すコンポジット映像信号Ｓ10を信号処理し、ドアホン子機１のカメラ１１にて撮像され照明ランプ１２の間欠点灯により明るさが確保された視認性の高い被写体の映像、すなわち、呼出操作を行った来訪者の映像をモニタ２３に出画させることができ、これらを確認した住戸内に在室中の居住者が通話ボタン２２を操作して応答すると、居住者が使用する親機スピーカ２０および親機マイク２１と伝送線路Ｌ1を介して来訪者が使用するドアホン子機１の子機マイク１４および子機スピーカ１５との間の通話ラインが形成され、形成された通話ラインを介して音声信号を送受信させることにより通話を行うことができる。
【００２５】
なお、本発明の実施例によるテレビドアホン装置においては、室内親機２の通話部として居住者が来訪者との間で通話を行うために使用する親機スピーカ２０、親機マイク２１、通話ボタン２２からなる拡声通話部を適用させたが、当該通話部はこれに限定されず、親機スピーカ２０では呼出音のみを放音させ、居住者が来訪者との間でハンドセット通話を行うために使用するハンドセットからなるハンドセット通話部も好適とされる。
【図面の簡単な説明】
【００２６】
【図１】図１は、本発明の実施例によるテレビドアホン装置を示すシステム構成図である。
【図２】図２は、本発明の実施例によるテレビドアホン装置において、（ドアホン子機に備えられた）夜間帯点灯制御回路の具体的な構成を示す回路図である。
【図３】図３は、本発明の実施例によるテレビドアホン装置において、（ドアホン子機に備えられた）夜間帯点灯制御回路にて処理される各種信号のタイミングチャートを示す波形図である。
【図４】図４は、従来例のテレビドアホン装置において、（ドアホン子機に備えられた）夜間帯点灯制御回路の具体的な構成を示す回路図である。
【符号の説明】
【００２７】
１……ドアホン子機
１１……カメラ
１２……照明ランプ
２……室内親機
２３……モニタ
Ｓ10……コンポジット映像信号
【図１】
2005102088.tif 000003
【図２】
2005102088.tif 000004
【図３】
2005102088.tif 000005
【図４】
2005102088.tif 000006